(57)【要約】【課題】  従来の流量調節具では、流れが乱れて吐水が暴れたり、散ってしまったりしていたので、流量調節具を設置する前の自然な吐水感が失われるとともに、吐水の周囲への飛び散りの原因となっていた。【解決手段】  流水の流路内に設置される流量調節具１であって、流水の流れ方向に通水路５が形成される弁体２１と、弁体２１から下流側へ突出する柱状の突出部２２とを備え、前記通水路５は弁体２１の周縁部に配置され、前記突出部２２は、通水路５よりも流路断面の中心側に配置される。【選択図】  図２
2005023741.tif 000002
【特許請求の範囲】
【請求項１】
流水の流路内に設置される流量調節具であって、
流水の流れ方向に通水路が形成される弁体と、
弁体から下流側へ突出する柱状の突出部とを備え、
前記通水路は弁体の周縁部に配置され、
前記突出部は、通水路よりも流路断面の中心側に配置される、
ことを特徴とする流路調節具。
【請求項２】
前記突出部の周囲には外筒が設けられ、
突出部と外筒との間には、前記通水路と連通する空間が形成されることを特徴とする請求項１に記載の流量調節具。
【請求項３】
前記弁体及び突出部とで本体を構成し、該本体と外筒とを別体に形成したことを特徴とする請求項２に記載の流量調節具。
【請求項４】
流水が流れる流路内に設置される流量調節具であって、
流水の流れ方向に通水路が形成される弁体と、
弁体から下流側へ突出し、通水路よりも流路断面の中心側に配置される、柱状の突出部とから成る本体を、
円筒状に形成され外つば部を備える外筒に、嵌装して構成されることを特徴とする流量調節具。 
【発明の詳細な説明】
【技術分野】
【０００１】
本発明は、給水管等の流体が流れる流路に設けられ、流路内を流れる流体の流量を調節するための流量調節具に関する。
【背景技術】
【０００２】
従来から、水道管や水道栓内部に設置して、水道栓から吐出される流水量を調節するための流量調節具が種種考案されており、一般的には、管内の吐水面積を絞って狭めるための通水孔や通水溝が形成されたコマ部材にて構成されている。
例えば、特許文献１に示されている流水調節具では、底面及び側面に通水孔が形成された有底筒を備える流量調節具を水道栓の出口側管に介装し、この通水孔により管の吐水面積を絞って流量を調節するようにしている。
【０００３】
【特許文献１】特許第３１８９１４４号公報
【発明の開示】
【発明が解決しようとする課題】
【０００４】
前述の如く構成される従来の流量調節具では、流量を制限する通水孔がコマ部材の下流側端部で、且つ管断面の中心部に形成されていたり、通水溝がコマ部材の下流側端部、且つ管断面の中心部まで延設されていたりするものが多く、通水孔や通水溝にて絞られた流水は、通水孔や通水溝の通過後すぐに管内に開放されることとなるため、流れが乱れて吐水が暴れたり、散ってしまったりする原因となっていた。
また、特許文献１に記載の流量調節具のように、有底筒の側面に形成された通水孔を通過した流水が、さらに、有底筒と外筒との間に形成され通水量を制限するための細隙を通過した後に管内に開放されるように構成した場合も、吐水の暴れや散りが生じる原因となる。
このように、吐水が暴れたり散ってしまったりすると、流量調節具を設置する前の自然な吐水感が失われるとともに、吐水の周囲への飛び散りの原因となってしまう。
そこで、本発明では、流量調節具を設置しない状態と同様の吐水感や水圧感覚を保ちながら、吐水量を調節することが可能な流量調節具を提供するものである。
【課題を解決するための手段】
【０００５】
上記課題を解決する流量調節具は、以下の特徴を有する。
すなわち、請求項１においては、流水の流路内に設置される流量調節具であって、流水の流れ方向に通水路が形成される弁体と、弁体から下流側へ突出する柱状の突出部とを備え、前記通水路は弁体の周縁部に配置され、前記突出部は、通水路よりも流路断面の中心側に配置される。
これにより、通水路を通過して流速が増した流水が、下流側へ流れる際に中心側の突出部に引き付けられて、流路断面の中央部に収束することとなる。
これにより、水栓の蛇口等から吐出される流水の暴れや散りを抑えるとともに、吐水感や水圧感覚を保ちながら、吐水量を減少させる方向へ調節することができ、水道料金や下水道使用量を削減することが可能となる。
【０００６】
また、請求項２においては、前記突出部の周囲には外筒が設けられ、突出部と外筒との間には、前記通水路と連通する空間が形成される。
これにより、内径が異なる管内に流量調節具を設置した場合でも、通水路にて絞られた流水が通過する流路の面積を一定に保つことができ、流水の流れの安定化を図ることができる。
【０００７】
また、請求項３においては、前記弁体及び突出部とで本体を構成し、該本体と外筒とを別体に形成した。
これにより、本体は同じサイズのものを用い、外径サイズが異なる外筒を取り換えるのみで、流量調節具の外径を変更することができ、様々な径の管への設置に対応することが可能となる。
また、流量調節具を同じ径の管に設置する場合であって、流量調節具により調節する流量を変更するときには、外筒を同じ外径サイズとしながら、本体を切り欠き部の大きさが異なるものに変更するだけで、流量を変更することができる。
このように、本体と外筒とを別体にすることで、設置する管の径及び調節する流量に応じて、本体と外筒とを適宜組み合わせて様々な仕様の流量調節具を構成することができ、ユーザーの要望に応じた最適な仕様の流量調節具を構成することができる。また、本体及び外筒の在庫品の種類を大幅に減少することができ、管理コスト等の低減を図ることができる。
【０００８】
また、請求項４においては、流水が流れる流路内に設置される流量調節具であって、流水の流れ方向に通水路が形成される弁体と、弁体から下流側へ突出し、通水路よりも流路断面の中心側に配置される、柱状の突出部とから成る本体を、円筒状に形成され外つば部を備える外筒に、嵌装して構成される。
これにより、通水路を通過して流速が増した流水が、下流側へ流れる際に中心側の突出部に引き付けられて、流路断面の中央部に収束することとなる。
これにより、水栓の蛇口等から吐出される流水の暴れや散りを抑えるとともに、吐水感や水圧感覚を保ちながら、吐水量を減少方向へ調節することが可能となる。
【発明の効果】
【０００９】
本発明によれば、
水栓の蛇口等から吐出される流水の暴れや散りを抑えるとともに、吐水感や水圧感覚を保ちながら、吐水量を減少方向へ調節することが可能となる。
また、内径が異なる管内に流量調節具を設置した場合でも、通水路にて絞られた流水が通過する流路の面積を一定に保つことができ、流水の流れの安定化を図ることができる。
さらに、様々な径の管への設置に対応することが可能となるとともに、本体及び外筒の在庫品の種類を大幅に減少することができ、管理コスト等の低減を図ることができる。
【発明を実施するための最良の形態】
【００１０】
次に、本発明にかかる流量調節具を実施するための最良の形態を、添付の図面を用いて説明する。
【００１１】
図１に示すように、流水調節具１は、弁体２１、及び弁体２１から突出する円柱状の突出部２２にて構成される本体２と、円筒状の外筒３とで構成され、該外筒３に本体２が着脱自在に嵌装されている。
【００１２】
本体２における弁体２１の周縁部には、円弧形状の切り欠き部２１ａが形成されている。切り欠き部２１ａは、複数箇所（本実施形態では３箇所）に形成されている。
弁体２１の一面から突出する突出部２２は、弁体２１の断面中央部に配置されている。
つまり、平面視において、突出部２２は、切り欠き部２１ａよりも中心側に配置されている。
【００１３】
外筒３は、長さ方向の途中に段差部３３が形成され、段差部３３の一側（図２では上側）は本体２の弁体２１の部分が嵌合する嵌合部３ａに構成され、他側は突出部２２との間で空間６を形成する空間部３ｂに構成されている。
【００１４】
また、外筒３の一側端部には、外周から外側方向へ突出する外つば部３１が形成されている。
さらに、外筒３の外周における長さ方向の途中部には、円環溝３２を形成して、Ｏ−リング５１等のシール部材を嵌装している。
【００１５】
そして、外筒３の一端側（図２における上端側）から本体２を嵌装して、流量調節具１が構成されている。
この場合、本体２の弁体２１は外筒３の嵌合部３ａに嵌合するが、前記空間部３ｂは空間部３ｂよりも小径に形成されているため、弁体２１は段差部３３に係止して、それ以上他端側（図２における下端側）へ抜け出ないようになっている。
【００１６】
本体２を外筒３に嵌装した状態では、本体２の突出部２２の外周が外筒３の空間部３ｂにより覆われている状態となっており、突出部２２と外筒３の空間部３ｂとの間には空間６が形成されている。
また、弁体２１の切り欠き部２１ａと外筒３の嵌合部３ａとで、通水路５が形成されている。
【００１７】
このように構成される流量調節具１は、厨房や洗面台や風呂場やトイレ等の水道管内や水道栓内といった管内に設置されるが、例えば、図３に示すように、水洗トイレ等に使用されるフラッシュバルブ７と調整バルブ８とを連結する連結管９内に設置される。
水の流れは、調整バルブ８側からフラッシュバルブ７側への方向であり、流量調節具１は、外つば部３１が形成されている一端側が上流方向に配置され、突起部２２が形成されている他端側が下流側に配置されるように設置される。
また、流量調節具１は、外つば部３１が連結管９の上流側端部に係止して、流れ止めされている。
【００１８】
図４に示すように、流量調節具１が設置された部分では、流水は、上流側から通水路５及び空間６を通って、流量調節具１の下流側へ流れる。
複数の通水路５の断面積の合計は、連結管９の断面積よりも小さいので、流量調節具１の下流側の流量は、絞られて上流側よりも減少し、フラッシュバルブ７から吐出される水量が少なくなるように調節される。
【００１９】
例えば、図５に示すように、流量調節具１を設置しない場合は、吐水される流水の流量が、吐水口の開栓度合いが大きくなっていくに従って、略全開状態となるまで増していき、全開状態では流量がＦｂとなる。
これに対して、流量調節具１を設置した場合は、吐水口の開栓度合いが全開状態に対して極小さいＯａの時点で、流量が、流量調節具１を設置しない場合の流量Ｆｂよりもかなり少ない流量Ｆａとなり、それ以降は開栓度合いが大きくなっても流量はＦａのまま略一定量となる。
【００２０】
このように、流量調節具１を管内に設置することで、吐水流量を減少させて節水することができる。
これにより、水道料金や下水道使用量を削減することが可能となる。
【００２１】
また、本流量調節具１では、前記通水路５により連結管９の流路断面積を狭めることで流水量を絞っているため、通水路５よりも下流側の流水速度が増すこととなる。
このため、例えば、流量調節具１を水栓に取り付けた場合には、吐水が暴れがちになったり、散ってしまいがちになったりしてしまう。
そこで、本発明では、流量調節具１を次のように構成して、流量調節具１より下流の水流をまとめることで、吐水の暴れや散りを抑えるようにしている。
【００２２】
すなわち、流量調節具１においては、通水路５を構成する切り欠き部２１ａが形成される弁体２１から、下流側へ向かって突出部２２を形成し、該突出部２２を通水路５よりも流路断面の中心側に配置している。
このように構成することで、通水路５を通過して流速が増した流水が、下流側へ流れる際に中心側の突出部２２に引き付けられて、流路断面の中央部に収束することとなる。
【００２３】
これにより、水栓の蛇口等から吐出される流水の暴れや散りを抑えるとともに、吐水感や水圧感覚を保ちながら、吐水量を減少方向へ調節することが可能となっている。
【００２４】
また、流量調節具１は、連結管９等の設置される管の太さ（内径の大きさ）に応じて、その外径サイズＤ１を変更することができる。
この場合、流量調節具１は、通水路５及び突出部２２を構成するための弁体２１と、流量調節具１を管内に設置するための外つば部３１が形成されている外筒３とを別体に構成しているので、弁体２１は同じサイズのものを用い、外径サイズＤ１が異なる外筒３に取り換えるのみで、流量調節具１の外径を変更することができ、様々な径の管への設置に対応することが可能となっている。
【００２５】
また、同じ径の管に設置する場合であって、流量調節具１により調節する流量を変更するときには、外筒３を同じ外径サイズＤ１としながら、本体２を切り欠き部２１ａの大きさが異なるものに変更するだけで、流量を変更することができる。
【００２６】
さらに、本体２と外筒３とを別体にすることで、設置する管の径及び調節する流量に応じて、様々な大きさの切り欠き部２１ａが形成される本体２と、様々な大きさの外径サイズＤ１を有する外筒３とを、適宜組み合わせて流量調節具１を構成することができ、ユーザーの要望に応じた最適な仕様の流量調節具１を構成することができる。
このように構成することで、本体２と外筒３とを一体的に構成した場合のように、必要な外径サイズＤ１と流量との全ての組み合わせについて満足するだけの種類の仕様を在庫として備えておく必要がなく、在庫品の種類を大幅に減少することができ、管理コスト等の低減を図ることができる。
【００２７】
また、流量調節具１においては、通水路５の下流側に、突出部２２と外筒３の空間部３ｂとで構成される空間６が形成されているので、内径が異なる管内に流量調節具１を設置した場合でも、通水路５にて絞られた流水が通過する流路の面積を一定に保つことができ、流水の流れの安定化を図ることができる。
例えば、外径サイズＤ１が異なる外筒３でも、空間部３ｂの内径を同一寸法としておけば、空間部３ｂと突出部２２との間に形成される流路面積を一定とすることが可能である。
【００２８】
また、図６、図７には、例えば図８に示すような水道栓８０の出口側管８１に設置される流量調節具１を示しており、図６、図７に示す外筒３の外径サイズＤ２及び切り欠き部２１ａにより構成される通水路５の面積が、図１、図２に示す流量調節具１の外径サイズＤ１や通水路５の面積よりも小さく構成されている。
このように、設置する管等の大きさや調節した流量に応じて様々な仕様の流量調節具１を構成することが可能となっている。
【００２９】
なお、本実施形態の流量調節具では、弁体２１の切り欠き部２１ａと外筒３の嵌合部３ａの内壁とで通水路５を構成しているが、弁体２１に流水の流れ方向に貫通する孔を形成して、この貫通孔を通水路５とすることもできる。
【図面の簡単な説明】
【００３０】
【図１】本発明の流量調節具を示す平面図である。
【図２】同じく側面断面図である。
【図３】フラッシュバルブの連結管内に設置された流量調節具を示す側面断面図である。
【図４】流量調節具を設置した管内における流水の流れを示す側面断面図である。
【図５】流量調節具を設置した場合及び設置しない場合の、水道栓の開栓度合いに対する吐水流量の関係を示す図である。
【図６】流量調節具の第二の実施形態を示す平面図である。
【図７】同じく側面断面図である。
【図８】図６、図７に示す流量調節具が設置された水道栓を示す側面図である。
【符号の説明】
【００３１】
１  流量調節具
２  本体
３  外筒
５  通水路
６  空間
２１  弁体
２１ａ  切り欠き部
２２  突出部
３１  外つば部
【図１】
2005023741.tif 000003
【図２】
2005023741.tif 000004
【図３】
2005023741.tif 000005
【図４】
2005023741.tif 000006
【図５】
2005023741.tif 000007
【図６】
2005023741.tif 000008
【図７】
2005023741.tif 000009
【図８】
2005023741.tif 000010